(57)【特許請求の範囲】
【請求項１】
床面に対峙する吸込口を底面に開口する筐体と、前記筐体の底面前部に配される起毛布と、前記筐体の両側部の前記起毛布よりも後方に軸支されて床面上を転動する第１、第２ローラーと、前記筐体の第１、第２ローラーよりも後方に軸支されて床面上を転動する第３ローラーとを備え、第１、第２、第３ローラーにより前記吸込口及び前記起毛布が前記床面に対して所定距離離れて前記筐体の姿勢が保持され、前記筐体の側方から前記吸込口に吸気する吸気溝を前記筐体の底面に凹設し、第１、第２ローラーの前部が前記吸気溝内に突出することを特徴とする電気掃除機用吸込口体。
【請求項２】
前記吸込口に配される回転ブラシを備え、第１、第２ローラーを前記回転ブラシよりも後方に配置したことを特徴とする請求項１に記載の電気掃除機用吸込口体。
【請求項３】
前記吸込口から吸い込まれた気流が流出するとともに支持部によって前記筐体に対して前後に傾倒自在に支持される管状のパイプ部を備え、第３ローラーを前記支持部よりも後方に配置したことを特徴とする請求項１または請求項２に記載の電気掃除機用吸込口体。
【請求項４】
前記筐体の底面前端が傾斜面から成り、前記起毛布を前記傾斜面まで延設したことを特徴とする請求項１〜請求項３のいずれかに記載の電気掃除機用吸込口体。
【発明の詳細な説明】
【技術分野】
【０００１】
本発明は、床面を転動するローラー及び床面に対峙する起毛布を有した電気掃除機用吸込口体及びそれを用いた電気掃除機に関する。
【背景技術】
【０００２】
従来の電気掃除機用吸込口体は特許文献１に開示されている。この電気掃除機用吸込口体は床面に対向する吸込口を筐体の底面前部に開口し、吸込口内には回転ブラシが配される。筐体の底面には前部の吸込口の両側方及び後部の左右端に起毛布が貼着される。起毛布は樹脂製の基体上に繊維状の樹脂を植毛して形成される。また、筐体の後部には床面を転動するローラーが軸支される。
【０００３】
ローラー及び起毛布が床面に接地することにより、吸込口と床面とを所定距離だけ離して電気掃除機用吸込口体の姿勢が保持される。ローラーが床面を転動するとともに起毛布が床面と摺動して電気掃除機用吸込口体が前後に移動し、吸込口から床面の塵埃を吸引する。起毛布によって筐体と床面との摺動による床面の傷を防止することができる。
【先行技術文献】
【特許文献】
【０００４】
【特許文献１】特開２００８−５４８１５号公報（第３頁−第９頁、第８図）
【発明の概要】
【発明が解決しようとする課題】
【０００５】
しかしながら、上記従来の電気掃除機用吸込口体によると、長期間の使用によって床面に摺動する起毛布の表面が摩耗して基体が露出する。このため、起毛布の基体が床面と摺動して床面を傷つける問題があった。
【０００６】
本発明は、長期間にわたって床面の傷を防止できる電気掃除機用吸込口体及び電気掃除機を提供することを目的とする。
【課題を解決するための手段】
【０００７】
上記目的を達成するために本発明の電気掃除機用吸込口体は、床面に対峙する吸込口を底面に開口する筐体と、前記筐体の底面前部に配される起毛布と、前記筐体の両側部の前記起毛布よりも後方に軸支されて床面上を転動する第１、第２ローラーと、前記筐体の第１、第２ローラーよりも後方に軸支されて床面上を転動する第３ローラーとを備え、第１、第２、第３ローラーにより前記吸込口及び前記起毛布が前記床面に対して所定距離離れて前記筐体の姿勢が保持されることを特徴としている。
【０００８】
この構成によると、筐体底面の前部に起毛布が配され、起毛布よりも後方に第１、第２、第３ローラーが配される。第１、第２、第３ローラーによって吸込口が床面と所定距離だけ離れるように筐体の姿勢が保持される。この時、起毛布は床面から離れて配置される。床面をローラーが転動して吸込口から塵埃が吸い込まれる。電気掃除機用吸込口体が前傾すると起毛布が床面に摺動して床面の傷が防止される。また、床面に段差があると起毛布が段差に摺動して乗り上げた後、第１、第２ローラーが段差を乗り上げる。
【０００９】
また本発明は、上記構成の電気掃除機用吸込口体において、前記筐体の側方から前記吸込口に吸気する吸気溝を前記筐体の底面に凹設し、第１、第２ローラーを前記吸気溝内に突出したことを特徴としている。この構成によると、吸込口から塵埃が吸い込まれる際に筐体の側方の塵埃が吸気溝を介して吸込口に導かれる。床面に段差がある場合に吸気溝内に突出する第１、第２ローラーが段差を乗り上げ、吸気溝と段差との衝突が回避される。
【００１０】
また本発明は、上記構成の電気掃除機用吸込口体において、前記吸込口に配される回転ブラシを備え、第１、第２ローラーを前記回転ブラシよりも後方に配置したことを特徴としている。この構成によると、回転ブラシによってカーペット等に埋没する塵埃が掻き上げられて吸込口から吸い込まれる。第１、第２ローラーは回転ブラシの駆動部を避けて回転ブラシよりも後方に配される。これにより、回転ブラシを前方に配置して壁面近傍の塵埃の残留が防止される。
【００１１】
また本発明は、上記構成の電気掃除機用吸込口体において、前記吸込口から吸い込まれた気流が流出するとともに支持部によって前記筐体に対して前後に傾倒自在に支持される管状のパイプ部を備え、第３ローラーを前記支持部よりも後方に配置したことを特徴としている。この構成によると、使用者により後端が把持される延長管がパイプ部に接続され、パイプ部が傾倒して掃除が行われる。延長管の重さによる力が加わる支持部よりも後方に第３ローラーが配置され、電気掃除機用吸込口体の姿勢が安定する。
【００１２】
また本発明は、上記構成の電気掃除機用吸込口体において、前記筐体の底面前端が傾斜面から成り、前記起毛布を前記傾斜面まで延設したことを特徴としている。この構成によると、床面に段差があると傾斜面まで延びる起毛布が段差に摺動して乗り上げる。
【００１３】
また本発明の電気掃除機は、上記各構成の電気掃除機用吸込口体を備えたことを特徴としている。
【発明の効果】
【００１４】
本発明によると、吸込口を開口する筐体の底面前部に起毛布を床面から離れて設け、起毛布の後方に配される第１、第２、第３ローラーによって筐体の姿勢を保持したので、起毛布は通常使用時に床面と接触せず、電気掃除機用吸込口体が前傾した際に床面と摺動する。このため、起毛布の摩耗が抑制され、起毛布の摩耗による床面の傷を防止することができる。従って、長期間にわたって床面の傷を防止することができる。
【図面の簡単な説明】
【００１５】
【図１】本発明の実施形態の電気掃除機を示す側面断面図
【図２】本発明の実施形態の電気掃除機の吸込口体を示す側面図
【図３】本発明の実施形態の電気掃除機の吸込口体を示す底面図
【発明を実施するための形態】
【００１６】
以下に本発明の実施形態を図面を参照して説明する。図１は一実施形態の電気掃除機の側面断面図を示している。電気掃除機１は電動送風機３を内装する本体部２を有し、本体部２には可撓性の接続ホース４が取り付けられる。接続ホース４の端部には延長管６が接続され、延長管６との接続部から分岐して使用者が把持する把持部５が設けられる。延長管６の先端には吸込口体１０が接続される。
【００１７】
図２、図３は吸込口体１０の側面図及び底面図を示している。吸込口体１０は樹脂成形品から成る筐体１１により覆われる。筐体１１は床面Ｆに対峙する吸込口１３を底面に開口した吸込部１１ａと、吸込部１１ａの中央部から後方に延びる延設部１１ｂとを有して平面視略Ｔ字状に形成される。吸込部１１ａの底面前端は後方が下がる傾斜面１１ｃに形成される。
【００１８】
延設部１１ｂの上部には吸込口１３に連通して延長管６が接続される管状のパイプ部１２が設けられる。パイプ部１２は円筒面に形成された先端部１２ａ（図１参照）が筐体１１に設けた円筒面から成る支持部１１ｄ（図１参照）により支持される。先端部１２ａが支持部１１ｄの内面に摺動してパイプ部１２が筐体１１に対して回動中心１２ｂで前後方向に傾倒自在になってる。
【００１９】
吸込口１３内には床面Ｆに接して回転する回転ブラシ１９が設けられる。筐体１１の底面には筐体１１の側面を開放して吸込口１３の後部側方に連通する吸気溝１４が凹設される。吸気溝１４を介して筐体１１の側方から塵埃を吸引することができる。
【００２０】
筐体１１の前部には吸込口１３の両側方に起毛布１５が貼着される。起毛布１５は床面Ｆに平行な位置から傾斜面１１ｃまで延設される。起毛布１５はナイロン等の樹脂製の基体上にナイロンやフッ素樹脂等の耐摩耗性の高い繊維状の樹脂を植毛して形成される。
【００２１】
起毛布１５の後方には筐体１１の両側部にローラー２１、２２（第１、第２ローラー）が軸支される。ローラー２１、２２の前部は吸気溝１４内に突出して配される。筐体１１の延設部１１ｂの後端にはローラー２３（第３ローラー）が軸支され、支持部１１ｄよりも後方にローラー２３が配される。また、吸込部１１ａの後部には左右方向の一方に偏ってローラー２４が設けられる。
【００２２】
ローラー２１〜２４が床面Ｆに接地されることにより、吸込口１３が床面Ｆから所定距離だけ離れて平行に配されるように筐体１１の姿勢が保持される。この時、起毛布１５と床面Ｆとの間には所定量の隙間Ｄが形成されるようになっている。尚、ローラー２４を省き、ローラー２１〜２３を接地して３点で筐体１１の姿勢を保持することもできる。
【００２３】
ローラー２１〜２４は筐体１１に軸支されるポリアセタール等の硬質部材上にエラストマー樹脂がインサート成形される。エラストマー樹脂の弾性によってローラー２１〜２４を床面Ｆに追随させることができる。
【００２４】
エラストマー樹脂上には静電気による吸着や接着剤による接着によってナイロンやフッ素樹脂等の耐摩耗性の高い繊維状の樹脂が植毛される。繊維状の樹脂によってローラー２１〜２４が床面Ｆと摺動した際の床面Ｆの傷を防止することができる。
【００２５】
使用者が把持部５を把持して延長管６を押したり引いたりすると、ローラー２１〜２４が床面Ｆを転動して吸込口体１０が床面Ｆ上を移動する。この時、起毛布１５は隙間Ｄが設けられるため床面Ｆとの摺動が回避される。
【００２６】
電動送風機３の駆動によって吸込口１３から床面Ｆの塵埃が吸い込まれるとともに、吸気溝１４を介して吸込口体１０の側方の塵埃が吸い込まれて吸込口１３に導かれる。また、回転ブラシ１９によってカーペット等に埋没する塵埃が掻き上げられて吸込口１３から吸い込まれる。吸込口１３から吸い込まれた塵埃はパイプ部１２から流出し、延長管６及び接続ホース４を介して本体部２内に集塵される。
【００２７】
吸込口体１０が前傾すると、起毛布１５が床面Ｆに摺動して床面Ｆの傷が防止される。また、延長管６の重さによる力が加わる支持部１１ｄよりも後方に第３ローラー２３が配されるため、吸込口体１０の安定性が向上する。これにより、起毛布１５と床面Ｆとの摺動が低減される。
【００２８】
また、床面Ｆに段差があると、起毛布１５が段差に摺動して乗り上げて吸込口体１０の前部が持ち上げられる。その後、ローラー２１〜２４が段差を乗り上げる。この時、起毛布１５は隙間Ｄによって簡単に段差を乗り上げ、傾斜面１１ｃに配されるためより簡単に段差を乗り上げることができる。また、吸込口体１０の前部が持ち上げられるため、ローラー２１〜２４が容易に段差を乗り上げることができる。
【００２９】
また、吸気溝１４内にローラー２１、２２が突出して配されるため、吸気溝１４と段差との衝突を回避して吸込口体１０が容易に段差を乗り上げることができる。
【００３０】
本実施形態によると、吸込口１３を開口する筐体１１の底面前部に起毛布１５を床面Ｆから離れて設け、起毛布１５の後方に配されるローラー２１、２２、２３（第１、第２、第３ローラー）によって筐体１１の姿勢を保持したので、起毛布１５は通常使用時に床面Ｆと接触せず、吸込口体１０が前傾した際に床面Ｆと摺動する。このため、起毛布１５の摩耗が抑制され、起毛布１５の摩耗による床面Ｆの傷を防止することができる。従って、長期間にわたって床面Ｆの傷を防止することができる。
【００３１】
また、床面Ｆに段差がある場合に、起毛布１５が段差と摺動して吸込口体１０の前部が持ち上げられ、ローラー２１、２２が容易に段差を乗り上げることができる。従って、吸込口体１０の利便性を向上することができる。
【００３２】
また、筐体１１の側方から吸込口１３に吸気する吸気溝１４を筐体１１の底面に凹設し、ローラー２１、２２を吸気溝１４内に突出したので、吸気溝１４と段差との衝突を回避して吸込口体１０が更に容易に段差に乗り上げることができる。
【００３３】
また、ローラー２１、２２を回転ブラシ１９よりも後方に配置したので、回転ブラシ１９の駆動部を避けて容易にローラー２１、２２を取り付けることができるとともに、回転ブラシ１９を前方に配置して壁面近傍の塵埃の残留を防止することができる。
【００３４】
また、パイプ部１２を筐体１１に傾倒自在に支持する支持部１１ｄよりも後方にローラー２３（第３ローラー）を配置したので、吸込口体１０の姿勢を安定させることができる。従って、起毛布１５と床面Ｆとの摺動が更に低減されて摩耗を抑制し、より長期間にわたって床面Ｆの傷を防止することができる。
【００３５】
また、筐体１１の底面前端に設けた傾斜面１１ｃまで起毛布１５を延設したので、床面Ｆの段差をより簡単に乗り上げることができる。
【産業上の利用可能性】
【００３６】
本発明によると、床面上を移動する吸込口体を有した電気掃除機に利用することができる。
【符号の説明】
【００３７】
１    電気掃除機
２    本体部
３    電動送風機
４    接続ホース
５    把持部
６    延長管
１０    吸込口体
１１    筐体
１１ａ  吸込部
１１ｂ  延設部
１１ｃ  傾斜面
１１ｄ  支持部
１２    パイプ部
１３    吸込口
１４    吸気溝
１５    起毛布
１９    回転ブラシ
２１、２２、２３、２４  ローラー
【図１】
0005452142.tif 000002
【図２】
0005452142.tif 000003
【図３】
0005452142.tif 000004